(57)【要約】【課題】調味液の滴下操作を簡素化すると共に調味液を充填する作業も簡便に行うことができ、調味液充填部に不用意な外圧が作用しても調味液の漏出を防止することができる調味液滴下箸を提供する。【解決手段】調味液充填部８は、合成樹脂により有底の中空円筒状に成形されると共に開口端部内周に雌ネジ１０が形成された調味液充填室１２と、該調味液充填室１２内に摺動可能に挿嵌され底面１４から外方に挿通するロッド１５を備えたピストン１６と、調味液充填室１２の外周に開口側が挿嵌されると共にロッド１５の端部が後端壁面１８に止着された押圧操作部２０とから成り、前記調味液充填部８の内部には、調味液充填室１２が連結された摘み部４に対しピストン１６を後方に付勢するコイルバネ１３を具備している。【選択図】図２
0003180008.tif 000002
【実用新案登録請求の範囲】
【請求項１】
先端の小径開口に連通する連通孔を形成し後端に連結部を備えた摘み部と、前記連結部と脱着可能に連結される被連結部を備え調味液が充填される調味液充填部とから成る調味液滴下箸であって、
前記調味液充填部は、合成樹脂により有底の中空円筒状に成形されると共に開口端部内周に前記被連結部が形成された調味液充填室と、前記調味液充填室内に摺動可能に挿嵌され底面から外方に挿通するロッドを備えたピストンと、前記調味液充填室の外周に開口側が挿嵌されると共に前記ロッドの端部が後端壁面に止着された押圧操作部とから成り、前記調味液充填部の内部には、前記調味液充填室が連結された摘み部に対し前記ピストンを後方に付勢する付勢手段を具備していることを特徴とする調味液滴下箸。
【請求項２】
前記摘み部の連結部端部には、前記調味液充填室内の調味液の流出を遮断する弁機構が配設され、
該弁機構は、中央に流通口を形成した弁蓋と、前記流通口を挿通して摘み部の連通孔内に臨む先端に遮蔽弁を備え後端がピストンのヘッド側に装着された弁棒とから成り、前記ピストンが前記調味液充填室の底面側にあるときは前記流通口が遮蔽弁により遮蔽されることを特徴とする請求項１に記載の調味液滴下箸。
【請求項３】
先端に設けた小径開口に連通する連通孔を形成し後端に連結部を備えた摘み部と、前記連結部に脱着可能に連結される被連結部を備え調味液が封入される中空円筒状の調味液充填部とから成る調味液滴下箸であって、
前記調味液充填部は、復帰弾力を有する合成樹脂により一端が開口する有底の中空円筒状に成形され前記開口端部の内周に被連結部が形成された調味液充填室と、前記被連結部内周に形成した段付き端部に開口を形成すると共に他端に前記調味液充填室内部と連通する小径流通口を形成した弁室と、前記調味液充填室に調味液を充填した状態で前記段付き部に液密に装着して前記開口を遮蔽する蓋体と、前記弁室内にあって前記小径流通口に挿通保持される遮蔽弁と、該遮蔽弁を前記蓋体に対し押圧付勢して前記小径流通口を遮蔽する付勢手段とからカートリッジ状に構成されて成り、
前記連結部の後端に形成された段付き部には連通孔を設けた導入管を突出すると共に、前記導入管の突出端部には前記蓋体を突抜く切断刃を設けたことを特徴とする調味液滴下箸。
【請求項４】
前記遮蔽弁は、一端に弁室内に挿嵌される大径段付き部が形成されると共に他端に前記小径流通口に挿通する小径軸部を形成した弁本体と、前記弁室内にあって前記小径流通口周縁に前記大径段付き部を付勢する付勢手段とから成り、
前記弁本体は、前記小径軸部の端部に開口すると共に内部にボール弁を着座する段付き弁座を備えた挿入孔と、該挿入口の開口端部に抜け止めピンを備え且つ前記段付き弁座に前記大径段付き部の端部と連通する小径流路とから構成されることを特徴とする請求項３に記載の調味液滴下箸。
【考案の詳細な説明】
【技術分野】
【０００１】
本考案は、合成樹脂などで箸の後端側に成形した中空部に醤油やソース等の調味液を充填し、箸の先端から所要量滴下できるようにした調味液滴下箸に関する。
【背景技術】
【０００２】
家庭や飲食店などで醤油やソース等を収容する容器として所定の収容量を確保する必要性から、ある程度の大さの調味液容器が使用されている。
一方、ハイキングや小旅行など、または乗り物内で食事をする際に使用する市販の弁当には少なくとも醤油またはソース等を封入した小型に成形された樹脂製または陶器製の調味液容器、あるいはビニール袋製の調味液容器が収容されている。
前者の調味液容器を使用する際は、排出口のキャップを開放して必要量に応じて調味液を繰り返し排出することができ、後者の袋状の調味液容器を使用する際は、側面に設けられた切り口を切り裂いて排出することができるようになっている。
【０００３】
ところが前者の調味液容器では、開放時にキャップを落としたり紛失したりする煩わしさがあり、後者のビニール袋製の調味液容器では、切り口の位置が判り難いため障害者や高齢者などは開放に手間が掛かり、切り口を間違えて一気に引き裂いたときに調味液が周囲に飛び散って衣服や手を汚してしまう問題がある。
【０００４】
このような課題を解決した調味液容器として、箸の内部に醤油やソース等の調味液を収容できる中空状の調味液充填部を設け、調味液の使用時には前記充填部の外部を指で押圧して箸先端の小径開口から適量の調味液を滴下するようにした合成樹脂製の調味液滴下箸が知られている（特許文献１、特許文献２参照）。
【０００５】
特許文献１に開示された調味料滴下箸は、調味液充填部内の調味液を使い切った後は使い捨てにされている。
また、特許文献２に開示された調味料滴下箸は、箸先端側の摘み部と調味液が充填される調味液充填部から成り、先端に調味液を排出する小径開口を設けた摘み部の後端にはネジを介して中空円筒状の調味液充填部が分離可能に結合されている。
【０００６】
分離された調味液充填部は、一端が開口する有底中空状に成形され底部には偏平状の膨出部が設けられており、前記調味液充填部に調味液を充填する際は、前記開口端部から備え付けのスポイトを使用して所定量充填されるとネジを介して摘み部と緩く連結される。
この状態で、調味液を排出する際は、摘み部の小径開口を下向きにして調味液充填部の膨出部を指で強く押圧すると小径開口から所定量の調味液を滴下できるようになっており、使用後はネジを強く締付けることで調味液の漏れは無くなる。
【０００７】
次に、充填された調味液を使い切った場合は、前記摘み部から調味液充填部を分離して備え付けのスポイトにより調味液を充填部に充填することで再使用することができる。
【先行技術文献】
【特許文献】
【０００８】
【特許文献１】実用新案登録第３０７９８８０号公報
【特許文献２】特開２００５−１５２５５８号公報
【考案の概要】
【考案が解決しようとする課題】
【０００９】
ところで、特許文献１に記載される調味液滴下箸では、調味液の出口となる小径開口が開放されたままの状態であることから、調味液が残留したままの調味液充填部に何らかの外圧が不用意に作用した際に箸先端の小径開口から調味液が漏れ出る虞がある。
【００１０】
また特許文献２に記載される調味液滴下箸は、摘み部と調味液充填部のネジを強く締付けることで小径開口からの漏れは無くなるものの、調味液を滴下する際はネジを緩めた状態で調味液充填部後端の膨出部を強く押圧し、使用後は液漏れ防止のためネジを固く締付けて遮蔽する操作が必要となる。このため、調味液の使用時または使用後にはネジの締め緩め操作を行う煩わしさを有している。
また、調味液を使い切った際は、備え付けのスポイトを使用して調味液充填部内に調味液を充填する作業が必要になるだけでなく、スポイトの管理も面倒になる等の問題を有している。
【００１１】
本考案は、上述した事情に鑑みてなされたもので、調味液の滴下操作を簡素化すると共に調味液を充填する作業も簡便に行うことができ、調味液充填部に不用意な外圧が作用しても調味液の漏出を防止することができる調味液滴下箸を提供することを目的とする。
【課題を解決するための手段】
【００１２】
本考案に係る調味液滴下箸では、上記課題を解決するために以下の手段を採用した。
本考案に係る調味液滴下箸は、先端の小径開口に連通する連通孔を形成し後端に連結部を備えた摘み部と、前記連結部と脱着可能に連結される被連結部を備え調味液が充填される調味液充填部とから成る調味液滴下箸であって、前記調味液充填部は、合成樹脂により有底の中空円筒状に成形されると共に開口端部内周に前記被連結部が形成された調味液充填室と、前記調味液充填室内に摺動可能に挿嵌され底面から外方に挿通するロッドを備えたピストンと、前記調味液充填室の外周に開口側が挿嵌されると共に前記ロッドの端部が後端壁面に止着された押圧操作部とから成り、前記調味液充填室の内部には、前記調味液充填室が連結された摘み部に対し前記ピストンを後方に付勢する付勢手段を具備していることを特徴とする。
【００１３】
本考案によれば、調味液の使用時には押圧操作部の後端を付勢手段の付勢力に抗して押圧すると、ピストンはロッドを介して先端側に向けて所定量移動する。これにより調味液充填室内の調味液は、連通孔を通して小径開口から適量分滴下することができる。
一方、調味液充填室内の調味液を使い切った際は、押圧操作部を押圧したままの状態で摘み部先端の小径開口を調味液容器の調味液内に差し込み、押圧力を解除させるとピストンが付勢手段の付勢力により後退移動することで調味液充填室内が負圧となり、調味液充填室内に調味液を吸引することができる。
【００１４】
前記摘み部の連結部端部には、前記調味液充填室内の調味液の流出を遮断する弁機構が配設され、該弁機構は、中央に流通口を形成した弁蓋と、前記流通口を挿通して摘み部の連通孔内に臨む先端に遮蔽弁を備え後端がピストンのヘッド側に装着された弁棒とから成り、前記ピストンが前記調味液充填室の底面側にあるときは前記流通口が遮蔽弁により遮蔽されることを特徴とする。
これにより、調味液を使用しない状態では、ピストンが付勢手段により調味液充填室内の底部に保持されて流通口が遮蔽弁により遮蔽されているので、調味液充填部に外圧が作用しても小径開口から調味液の漏出を回避することができる。
また、押圧操作部の外側端部を軸方向に押圧すると、前記遮蔽弁がピストンと共に先端側に移動するので流通口が開放されるので、調味液充填室内の調味液は摘み部の小径開口より適量だけ滴下することができる。
【００１５】
本考案に係る調味液滴下箸は、先端に設けた小径開口に連通する連通孔を形成し後端に連結部を備えた摘み部と、前記連結部に脱着可能に連結される被連結部を備え調味液が封入される中空円筒状の調味液充填部とから成る調味液滴下箸であって、前記調味液充填部は、復帰弾力を有する合成樹脂により一端が開口する有底の中空円筒状に成形され前記開口端部の内周に被連結部が形成された調味液充填室と、前記被連結部内周に形成した段付き端部に開口を形成すると共に他端に前記調味液充填室内部と連通する小径流通口を形成した弁室と、前記調味液充填室に調味液を充填した状態で前記段付き部に液密に装着して前記開口を遮蔽する蓋体と、前記弁室内にあって前記小径流通口に挿通保持される遮蔽弁と、該遮蔽弁を前記蓋体に対し押圧付勢して前記小径流通口を遮蔽する付勢手段とからカートリッジ状に構成されて成り、前記連結部の後端には連通孔を設けた導入管を突出すると共に、前記導入管の突出端部には前記蓋体を突抜く切断刃を設けたことを特徴とする。
【００１６】
本考案によれば、種類別の調味液を封入した調味液充填部を前記摘み部に脱着可能なカートリッジ状に構成することにより、所望の調味液が充填された調味液充填部を摘み部と連結することで、好みの調味液は小径開口から滴下可能となる。
そこで、調味液の使用時には、調味液充填部側面を押圧した時の内圧の作用で遮蔽弁が開放されるので、カートリッジ内の調味液は摘み部先端の小径開口から滴下することができる。
調味液を使用しないときは、小径流通口が付勢手段により付勢される遮蔽弁により閉塞されているので、調味液充填部に予期せぬ外圧が作用しても調味液の漏出を回避することができる。
また、調味液充填部の外周面を調味液の種類に応じて、彩色または模様や記号、ロゴなどにより識別表示することで、摘み部に連結される調味液充填部内に充填された調味液の種類を直ちに識別することができる。
【００１７】
前記遮蔽弁は、一端に弁室内に挿嵌される大径段付き部が形成されると共に他端に前記小径流通口に挿通する小径軸部を形成した弁本体と、前記弁室内にあって前記小径流通口周縁に前記大径段付き部を付勢する付勢手段とから成り、前記弁本体は、前記小径軸部の端部に開口すると共に内部にボール弁を着座する段付き弁座を備えた挿入孔と、該挿入口の開口端部に抜け止めピンを備え且つ前記段付き弁座に前記大径段付き部の端部と連通する小径流路とから構成されることを特徴とする。
これにより、カートリッジ状調味液充填部の遮蔽弁は、付勢手段の付勢力により常時小径流通口が遮蔽されると共に、前記遮蔽弁内の小径流路は前記調味液充填部の内圧により段付き弁座に保持されたボール弁により遮蔽されている。
従って、被連結部と連結部を連結した際に蓋体が切断刃により突抜かれるので、調味液充填室内の調味液は、前記蓋体を通して摘み部の小径開口から滴下可能な状態となるが、弁本体の一端（弁室側）と連通する小径流路は、遮蔽弁により遮蔽された状態にある。
そこで、調味液使用時に調味液充填部の側面を強く押圧すると、前記遮蔽弁は内圧の作用により付勢手段の付勢力に抗して移動し小径流通口が開放されるので、適量の調味液を小径開口から滴下することができる。
一方、調味液を使用しないときは、小径流通口が付勢手段により付勢される遮蔽弁により閉塞されると共に、弁室側と連通する小径流路は調味液充填室の内圧を受けるボール弁により閉塞されているので、調味液充填部に予期せぬ弱い外圧が作用しても調味液の漏出を回避することができる。
また、調味液充填室内の調味液を使い切った際は、調味液充填部の側面を押圧したまま摘み部先端の小径開口を調味液内に挿入して押圧力を解除させることで、調味液充填室内部に生ずる負圧により摘み部先端の小径開口から調味液を吸引することができる。    
同時に弁本体は、調味液の吸引中に付勢手段の付勢作用によりボール弁と共に吸引されて小径流通口が遮蔽されるが、弁本体内のボール弁は残存する負圧により更に内側に吸引されるので、小径開口から吸引された調味液は小径流路から調味液充填室内に継続して吸引することができる。
【考案の効果】
【００１８】
本考案によれば、押圧操作部の後端を付勢手段の付勢力に抗して押圧することでピストンが所定量前方に移動する。これにより調味液充填室内の調味液は、連通孔を通して小径開口から適量分滴下される。
また、押圧操作部を前方側に押圧した状態で摘み部先端の小径開口を調味液容器の調味液内に差し込み、押圧力を解除させることで付勢手段の付勢力によりピストンが後方に移動し、調味液充填室内に生ずる負圧により調味液を吸引することができる。
このように、調味液の滴下操作を簡素化すると共に、調味液使用に充填する作業も簡便に行うことができる。
【００１９】
更に、摘み部の連結部端部に弁機構を配設することで、付勢手段によりピストンが調味液充填室内の底部に付勢されているときは、弁蓋の流通口が弁棒先端の遮蔽弁により遮蔽されるので、調味液充填部に不用意な外圧が作用しても調味液の漏出を防止することができる。
【図面の簡単な説明】
【００２０】
【図１】本考案の第一実施形態に係り、調味液滴下箸の使用状態を示す全体斜視図である。
【図２】同じく（Ａ）は調味液滴下箸の断面図を示し、（Ｂ）は（Ａ）のＸａ部拡大断面図である。
【図３】第一実施形態の変形例に係り（Ａ）は調味液滴下箸の断面図を示し、（Ｂ）は（Ａ）のＸ部拡大断面図である。
【図４】本考案の第二実施形態に係り、（Ａ）は調味液滴下箸の断面図を示し、（Ｂ）は（Ａ）のＹ部拡大断面図である。
【図５】同じく第二実施形態の変形例に係り、（Ａ）は調味液滴下箸の断面図を示し、（Ｂ）は（Ａ）のＺ部拡大断面図である。
【考案を実施するための形態】
【００２１】
以下、本考案の第一実施形態に係る調味液滴下箸について図1、図２を参照して説明する。図１は調味液滴下箸の使用状態を示す全体斜視図、図２（Ａ）は調味液滴下箸の断面図を示し、（Ｂ）は（Ａ）のＸａ部拡大断面図である。
【００２２】
（第一実施形態）
本考案に係る調味液滴下箸１は、図１に示すように例えば弁当９の食材を食する際に２本の調味液滴下箸１を組み合わせた箸２として使用されるもので、それぞれ単体の調味液滴下箸１の内部には醤油またはソース等の調味液Ｅが充填される調味液充填部８を備えており、調味液Eの使用時には、前記調味液滴下箸１の先端開口から調味液Ｅを必要量滴下できるように構成されている。
【００２３】
以下、調味液滴下箸の説明では、調味液滴下箸単体の箸１として説明する。すなわち、前記調味液滴下箸１は、図２に示すように例えばポリエチレン等の合成樹脂で一体成形されており、先端に調味液Ｅを吐出または吸引する小径開口３を形成し、後端外周に連結部（雄ネジ）７を備えた摘み部４と、調味液Ｅが充填される調味液充填部８とから構成されている。尚、前記小径開口３は、中心軸線に沿って形成された連通孔５を介して後端の雄ネジ７端面に連通しており、連通孔５の後端には拡径された段付き穴６が形成されている。
【００２４】
前記調味液充填部８は、前記連結部と連結結合可能な被連結部（雌ネジ）１０を備え該雌ネジ１０側に開口する有底中空円筒状の調味液充填室１２と、前記摘み部４の雄ネジ７と連結された前記調味液充填室１２内に軸方向移動可能に収容され底面１４から外方に挿通するロッド１５を備えたピストン１６と、前記調味液充填室１２の外周に先端開口側が摺動可能に挿嵌されると共に前記ロッド１５の後端が後端の壁面１８に止着された円筒状の押圧操作部２０とから成り、前記調味液充填部８となる押圧操作部２０の内部には、前記調味液充填室１２が連結された摘み部４に対し前記ピストン１６を後方に押圧付勢する付勢手段（以下コイルバネ１３と称する）を具備している。
【００２５】
尚、前記コイルバネ１３は、押圧操作部２０の内部に収容した例に付き説明したが、これに限らず、前記調味液充填部８となる調味液充填室１２の内部、すなわち摘み部４後端とピストン１６ヘッド側との間に前記コイルバネ１３を具備することもできる。これにより、ピストン１６を摘み部４に対し後方に押圧付勢することができる。
【００２６】
ここで摘み部４の先端は、先細となるテーパ状に形成されると共に後端側に設けた雄ネジ７は、段付き部外周に螺設されている。調味液充填室１２の先端側に設けた雌ネジ１０は開口端部内周に螺設されている。
更に詳しくは、前記ロッド１５が挿通する底面１４の挿通孔は、Ｏリング１４ａによってシールされており、押圧操作部２０の側面には空気抜き孔２０ａが挿通形成されている。
これにより、押圧操作部２０を押圧した際に圧縮される内部の空気は、空気抜き孔２０ａから外部に排出することができる。
【００２７】
次に、第一実施形態に係る調味液滴下箸１の作用に付き説明する。調味液充填部８に充填された調味液Ｅを使用するときは、押圧操作部２０の後端壁面１８をコイルバネ１３の付勢力に抗して軸方向に押圧することで、ピストン１６が先端側に移動し予め調味液充填室１２に充填された調味液Ｅは、小径開口３から所定量滴下することができる。
調味液充填室１２内の調味液Ｅが無くなった場合は、押圧操作部２０の後端壁面１８を軸方向に押圧してピストン１６をコイルバネ１３の付勢力に抗して所定量矢印（先端側）方向に移動する。
【００２８】
この状態で、摘み部４先端の小径開口３を容器に収容された調味液Ｅ内に差し込み、押圧操作部２０の押圧力を解除させるとピストン１６がコイルバネ１３の付勢力により調味液充填室１２の底面１４に付き当たるまで後退移動する。
これにより、前記ピストン１６の後退移動によって調味液充填室１２の内部圧力が負圧になるので、調味液充填室１２内の調味液Eは小径開口３を通して調味液充填室１２の内部に吸引される。
【００２９】
（変形例）
図３は第一実施形態の変形例であって、図３（Ａ）は調味液滴下箸の断面図を示し、（Ｂ）は（Ａ）のＸ部拡大断面図である。尚、本変形例に係る調味液滴下箸１Ａの説明に際し第一実施形態に係る調味液滴下箸１と同一構成物は同一符号を付して説明を省略する。
従って、図３（Ａ）、（Ｂ）では、図２とは異なる構成に付き説明する。
この変形例に係る調味液滴下箸１Ａは、前記摘み部４の雄ネジ７端部に調味液充填室１２内の調味液Ｅの流出を遮断する弁機構２２が配設されている。
【００３０】
前記弁機構２２は、前記摘み部４の雄ネジ７端部に装着され中央に流通口２５を形成した弁蓋２４と、前記流通口２５を挿通して摘み部４の連通孔５内に臨む先端に遮蔽弁２６を備え後端がピストン１６のヘッド側に装着された弁棒２８とから成り、前記ピストン１６が調味液充填室１２の底面１４側にあるときは、前記流通口２５が遮蔽弁２６により遮蔽されるように構成されている。
【００３１】
すなわち、調味液充填室１２内のコイルバネ１３の付勢力によりピストン１６が底面１４にあるときは、前記弁蓋２４の流通口２５は、遮蔽弁２６により遮蔽される。これにより調味液充填室１２内の調味液Ｅが前記小径開口３から漏出するのを回避することができる。
また、押圧操作部２０の外側端部を押圧操作することにより、前記遮蔽弁２６はピストン１６と共に先端側に移動するので流通口２５が開放される。これにより、調味液充填室１２内の調味液Ｅは、摘み部４の小径開口３より適量だけ滴下することができる。
【００３２】
（第二実施形態）
図４は本考案の第二実施形態に係り、図４（Ａ）は調味液滴下箸の断面図を示し、図４（Ｂ）は（Ａ）のＹ部拡大断面図である。
図４において、３０は第二実施形態に係る調味液滴下箸で、この調味液滴下箸３０は、先端の小径開口３３に連通する連通孔３５を形成し後端に連結部（雄ネジ）３７を備えた摘み部３４と、該摘み部３４の雄ネジ３７と脱着可能に連結される被連結部（雌ネジ）４０を備え調味液Eが封入される中空円筒状の調味液充填部３８とから構成されている。
【００３３】
前記調味液充填部３８は、復帰弾力を有する合成樹脂により一端に開口部を有する有底中空円筒状に成形され前記開口部内周に雌ネジ４０が形成された調味液充填室４２と、前記雌ネジ４０の内周に形成した段付き端部に３７ａに開口を形成すると共に他端に前記調味液充填室４２内部と連通する小径流通口４６を形成した弁室４５と、前記調味液充填室４２に調味液Ｅを充填した状態で前記段付き端部３７ａに液密に装着して前記開口を遮蔽する蓋体５０と、前記弁室４５内にあって前記小径流通口４６に挿通保持される遮蔽弁４８と、前記蓋体５０に対し前記遮蔽弁４８を押圧付勢して前記小径流通口４６を遮蔽するコイルバネ４３とからカートリッジ状に構成されている。
また、摘み部３４の後端外周に設けた雄ネジ３７部の後端面には、連通孔３５を設けた導入管３９を突出しており該導入管３９の突出端部には蓋体５０を突抜く切断刃３９ａが設けられている。
【００３４】
すなわち、前記調味液充填部３８は、調味液充填室４２の開口部から調味液Ｅを充填し、段付き端部３７ａに蓋体５０を装着することで前記開口部が密閉されて交換可能なカートリッジとして構成することができる。
前記蓋体５０は、液漏れ防止用のゴム製パッキンとして使用されるもので中央に挿通孔を設けた厚肉円板状に形成されており、片面全面には例えば銀紙製の薄膜５２が貼着されて前記挿通孔を密閉している。
【００３５】
また、前記弁室４５の内部には遮蔽弁４８が移動可能に収容されており、前記遮蔽弁４８は、段付き端部３７ａに装着された蓋体５０との間に介装されたコイルバネ４３の付勢力によって押圧され、前記調味液充填室４２に通じる小径流通口４６を遮蔽している。
そこで、調味液充填部３８を前記摘み部３４の後端に連結する際に、前記導入管３９先端の破断刃３９ａを前記蓋体５０中央の挿通孔に挿通することで前記薄膜５２が突抜かれ、調味液充填室４２内の調味液Ｅが小径開口３３から滴下可能となる。
【００３６】
このように、カートリッジ状に構成された調味液充填部３８は、例えば、醤油、ソース、らいゆ、酢などの各種調味液を封入することができるので、前記調味液充填部３８の外周面に調味液の種類別記号、またはロゴ、模様、色彩等を付すことで他の調味液充填部３８との識別が可能となり、適宜交換して使用することができる。
【００３７】
次に、第二実施形態に係る調味液滴下箸３０の作用に付き説明する。
調味液滴下箸３０を使用する際は、摘み部３４の後端に醤油、またはソースなどの調味液Eを充填したカートリッジ状の調味液充填部３８を連結結合した１組の箸２として用いられる。
【００３８】
ここで、各種調味液Ｅが充填された調味液充填部３８の使用法に付き説明する。
先ず、所望の調味液Eを封入したカートリッジ状の調味液充填部３８を摘み部３４の後端に連結結合すると、蓋体５０に貼着された薄膜５２が導入管３９後端の破断刃３９ａにより突抜かれるので、調味液Ｅが滴下可能となる。
そこで、所望の調味液Ｅを使用するときは、調味液充填部３８の外側面を押圧した内圧の作用で遮蔽弁４８が開放されるので、摘み部３４先端の小径開口３３から調味液Ｅを適宜滴下することができる。
【００３９】
調味液Ｅを使用しないときは、小径流通口４６がコイルバネ４３により付勢される遮蔽弁４８により閉塞されているので、調味液充填部３８に予期せぬ外圧が作用しても小径開口３３から調味液Ｅの漏出を回避することができる。
【００４０】
このように、調味液充填部３８をカートリッジ状に構成することにより、調味液Ｅを種類別に分けて充填した調味液充填部３８として準備することで、所望の調味液Ｅが充填された調味液充填部３８を摘み部３４から交換して直ちに使用することができる。
これにより、調味液が異なる度に調味液充填部３８の内部を洗浄したり、充填する手間を省く事ができる。
また、調味液充填部３８の外周面に調味液Ｅの種類に応じて、彩色または模様や記号、ロゴなどにより識別表示することで、摘み部３４に連結される調味液充填部３８内に充填されている調味液Ｅの種類を直ちに識別することができる。
【００４１】
（変形例）
図５は第二実施形態の変形例であって、図５（Ａ）は調味液滴下箸の断面図を示し、図５（Ｂ）は（Ａ）のＺ部拡大断面図である。尚、本変形例に係る調味液滴下箸３０Ａの説明に際し第二実施形態に係る調味液滴下箸３０と同一構成物は同一符号を付して説明を省略する。
従って、図５（Ａ）、（Ｂ）では、図４とは異なる構成に付き説明する。
本変形例に係る調味液滴下箸３０Ａでは、当該調味液滴下箸３０Ａに使用される遮蔽弁５６は、弁室４５内に挿嵌される大径段付き部５８ａが一端に形成されると共に他端に小径流通口４６を挿通する小径軸部５８ｂが形成された弁本体５８と、該弁本体５８の大径段付き部５８ａを前記小径流通口４６周縁に押圧付勢するコイルバネ４３とから構成されている。
【００４２】
前記弁本体５８は、前記小径軸部５８ｂの端部に開口しその内部にボール弁６０を保持する段付き弁座６２ａを備えた挿入孔６２と、該挿入孔６２の開口端部に装着された抜け止めピン６４と、前記段付き弁座６２ａの中央から前記大径段付き部５８ａの端部に挿通する小径流路６５とを備えている。
【００４３】
ここで、各種調味液が充填された変形例に係る調味液滴下箸３０Ａの調味液充填部３８の使用方法に付き説明する。
先ず、所望の調味液Eが封入されたカートリッジ状の調味液充填部３８は、雌ネジ４０に摘み部３４後端の雄ネジ３７を連結結合する動作により蓋体５０の片面に貼着された薄膜５２が導入管３９後端の破断刃３９ａにより突抜かれる。これにより、小径開口３３から調味液Ｅの滴下が可能となる。
【００４４】
そこで、所望の調味液Ｅを使用するときは、調味液充填部３８の外側面を押圧圧縮することで調味液充填室４２に封入された調味液Ｅの圧力が上昇し、遮蔽弁５６がコイルバネ４３の付勢力に抗してボール弁６０と共に移動する。これにより、小径流通口４６が開口するので摘み部３４先端の小径開口３３から調味液Ｅを適宜滴下することができる。
【００４５】
一方、カートリッジ状の調味液充填部３８内部の調味液Ｅが切れたときは、調味液充填部３８の外側面を押圧圧縮した際の内圧により遮蔽弁５６が小径流通口４６を開口した状態とし、摘み部３４先端の小径開口３３を調味液が収容される容器内に差し込む。
この状態で、調味液充填部３８を押圧する押圧力を解除することで、圧縮された当該調味液充填部３８は、自らの復帰弾力と調味液充填室４２の内部に生ずる負圧により元の状態に復元する。
前記調味液Ｅは、その復元過程で小径開口３３から吸引され、同時に小径流通口４６はコイルバネ４３により付勢される遮蔽弁５６により遮蔽される。
【００４６】
ここで、遮蔽弁５６内のボール弁６０は、調味液充填室４２自らの復帰弾力により生ずる負圧の作用で弁座６２ａから内側に離間する。これにより調味液Ｅは続いて調味液充填室４２内に吸引することができる。
仮に、調味液充填部３８が空になった際に予備の調味液充填部３８が無い場合は、前述したように空の調味液充填部３８を圧縮復元する操作と同期する遮蔽弁５６の開閉により小径開口３３から調味液Ｅを吸引することで再使用することができる。
【００４７】
前述した実施の形態で示した調味液滴下箸は、一例であって、本考案の主旨から逸脱しない範囲において設計要求等に基づき種々変更可能である。調味液滴下箸の調味液充填部は、復帰弾力を有する合成樹脂で一体成形され、外周面には各種模様や色彩、ロゴなどを施す形態に付き説明したが、地色を透明または半透明に形成することで調味液の種別や充填量を目視で確認することができる。
【００４８】
また、調味液充填部外周面に付される模様は、スカイツリーの外観に合わせた斜めクロス状の格子模様にすることもできる。また、調味液滴下箸の断面構造は円形に構成されるが、これに限定されない。例えば、三角断面、四角断面、楕円断面、多角断面に構成することもでき、また強度上の問題を有する場合は、外周に補強用のリブを適宜配置することもできる。
【符号の説明】
【００４９】
１,１Ａ，３０，３０Ａ…調味液滴下箸、３，３３…小径開口、５，２５，３５…連通孔、７，３７…連結部（雄ネジ）、４…摘み部、１０，４０…被連結部（雌ネジ）、
Ｅ…調味液、９，３８…調味液充填部、１２，４２…調味液充填室、
１３，４３…付勢手段（コイルバネ）、１４…底面、１５…ロッド、１６…ピストン、
１８…後端壁面、２０…押圧操作部、２２…弁機構、２５…流通口、２４…弁蓋、
２６，４８、５６…遮蔽弁、２８…弁棒、３９…導入管、３９ａ…破断刃、４５…弁室、４６…小径流通口、５０…蓋体、５８…弁本体、５８ａ…大径段付き部、
５８ｂ…小径軸部、６０…ボール弁、６２ａ…弁座、６４…抜け止めピン、
６５…小径流路、
【図１】
0003180008.tif 000003
【図２】
0003180008.tif 000004
【図３】
0003180008.tif 000005
【図４】
0003180008.tif 000006
【図５】
0003180008.tif 000007